(57)【特許請求の範囲】
【請求項１】
各入力に対応したチャンネル毎に入力信号を調整、加工可能な入力信号処理部と、ＡＵＸ・ＳＥＮＤ先の切り換え、調整を行うＡＵＸ信号処理部と、各ＡＵＸ出力に接続されるＳＥＮＤ先の名称を記憶可能なＳＥＮＤ先記憶部と、これらと接続されミキシングに関する動作を制御する制御部とを備え、
前記入力信号処理部はミキシング操作に必要な情報を表示するための表示手段を有し、
前記制御部は前記入力信号処理部にてＡＵＸ調整用の機能を切り換えまたはツマミ操作がなされたことを検出するとその操作がなされた入力信号処理部の表示手段に対しバスを介して接続されているＡＵＸ出力に対応したＳＥＮＤ先の名称を表示させるＳＥＮＤ先名称表示手段を備えてなることを特徴とするＡＵＸ・ＳＥＮＤ名称表示システム。
【発明の詳細な説明】
【０００１】
【発明の属する技術分野】
この発明は、放送局、レコーディングスタジオ等において複数のオーディオ信号を入力し、必要な調整、加工、ミキシング操作を行うミキシング装置に関する。
【０００２】
【従来の技術】
従来のミキシング装置として、例えば図４に示すような構成の装置が知られている。図４は、ミキシング装置の各入力からＡＵＸ（補助）出力に至る経路の構成を示したブロック図である。図において、１は入力信号処理手段、２はＡＵＸバス、３はＡＵＸ信号処理部である。
【０００３】
しかして、各入力ＩＮ１〜ＩＮｎからはマイクその他のオーディオ信号が入力され、入力信号処理部１の各チャンネルＣＨ１〜ＣＨｎ毎に、図示しない回路により、これらオーディオ信号のレベルや位相が調整され、必要によりパン、イコライジング等の加工操作が行われる。そして、チャンネルフェーダにて所望の出力レベルに調整され、ＡＵＸ操作手段１ａにより、ＡＵＸ・ＳＥＮＤ出力へ接続され、レベル調整が行われた後、ＡＵＸバス２に送出される。
【０００４】
ＡＵＸバス２にはＡＵＸ信号処理部３が接続され、ＡＵＸバス２上に送出された各オーディオ信号が入力される。ＡＵＸ信号処理部３では外部ＡＵＸ信号入力との切り換え、ミキシングやＡＵＸフェーダによるレベル調整等が行われた後、各ＡＵＸ出力ＡＵＸ１〜ＡＵＸｍの中から選択された所定の出力に対し送出される。
【０００５】
このように、各入力ＩＮ１〜ＩＮｎからの信号は、入力信号処理部１にて所定の加工、調整が加えられた後、ＡＵＸ・ＳＥＮＤが選択されているとＡＵＸ信号処理部３に送られ、さらに調整された後、選択されたＡＵＸ・ＳＥＮＤ先に送出される。なお、通常のミキシング操作においては、入力信号処理部１からの出力は図中省略されているが、グループ化、調整等された後、マスターフェーダを介して放送用等の出力となる。
【０００６】
【発明が解決しようとする課題】
ところで、メイン出力以外であるＡＵＸ・ＳＥＮＤ先（補助出力先）は、他の放送用出力、数カ所に設置された各モニタスピーカ、外部スタジオ、テープレコーダ等の音響機器等様々であるが、各音楽ソフト等の作業の内容や種類、規模等により適宜必要な接続に変更され、使用される。
【０００７】
従って、例えば作業者であるミクサーは、ある作業を行っているときの各ＡＵＸ出力ＡＵＸ１〜ＡＵＸｎが、どの様なＳＥＮＤ先に接続されているのかを十分に把握することが困難である。このため、その作業におけるＳＥＮＤ先をメモ書きにしてミキシングコンソール上に張り付ける等して、ＳＥＮＤ先を確認するための表示を設けていた。
【０００８】
しかしながら、このように異なった作業の度にＳＥＮＤ先名称のメモ書きを作成するのは面倒である。また、このようなメモ書きはミキシングコンソールの美観を損ねると共に、比較的暗い調整室等での作業ではメモの内容が読み難く、しかもメモがＡＵＸの操作を行う場所から離れている場合、操作に支障を来すこともある。
【０００９】
この発明はかかる点に鑑みなされたもので、その目的とするところは、一々メモ書き等を作成しなくとも、ＡＵＸ・ＳＥＮＤ先の確認を容易かつ確実に行うことが可能で、しかもミキシングコンソールの美観を損なうことのないＡＵＸ・ＳＥＮＤ名称表示システムを提供することにある。
【００１０】
【課題を解決するための手段】
上記課題を解決するため本発明は、各入力ＩＮ１〜ＩＮｎに対応したチャンネルＣＨ１〜ＣＨｎ毎に入力信号を調整、加工可能な入力信号処理部１と、ＡＵＸ・ＳＥＮＤ先の切り換え、調整を行うＡＵＸ信号処理部３と、各ＡＵＸ出力ＡＵＸ１〜ＡＵＸｎに接続されるＳＥＮＤ先の名称を記憶可能なＳＥＮＤ先記憶部５と、これらと接続されミキシングに関する動作を制御する制御部４とを備え、前記入力信号処理部１はミキシング操作に必要な情報を表示するための表示手段１ｂを有し、前記制御部４は前記入力信号処理部１にてＡＵＸ調整用の機能の切り換えまたはツマミ操作がなされたことを検出するとその操作がなされた入力信号処理部１の表示手段１ｂに対しバスを介し接続されているＡＵＸ出力ＡＵＸ１〜ＡＵＸｍに対応したＳＥＮＤ先の名称を前記ＳＥＮＤ先記憶部５から読み出し表示させるＳＥＮＤ先名称表示手段を備える構成とした。
【００１１】
【発明の実施の形態】
次に、本発明の実施の形態について説明する。図１は、本発明にかかるＡＵＸ・ＳＥＮＤ名称表示システムの基本構成を示したブロック図である。図において、１は入力信号処理部、ＣＨ１〜ＣＨｎは各チャンネル、１ａはＡＵＸ系統への信号の切り換えやレベル調整などを行うＡＵＸ操作手段、１ｂは各スイッチの状態や、切り換え先、ツマミの回転量等を表示する表示手段、２はＡＵＸバス、３はＡＵＸ信号処理部、３ａはＡＵＸ出力先の切り換えやレベル調整などを行うマスター操作手段、３ｂは１ａと同様の表示手段、４は制御部、５はＳＥＮＤ先記憶部である。
【００１２】
入力信号処理部１には各入力ＩＮ１〜ＩＮｎが接続され、マイク、楽器・音響機器からの信号等が入力される。この入力信号処理部１は各入力ＩＮ１〜ＩＮｎに対応したチャンネルＣＨ１〜ＣＨｎに分割されていて、各チャンネルＣＨ１〜ＣＨｎ毎に、入力されたそれぞれの信号を処理できるようになっている。
【００１３】
入力信号処理部１の各チャンネルＣＨ１〜ＣＨｎには、入力レベルの調整、フィルタ、イコライザ等のオーディオ信号を調整する回路が設けられ、また必要によりインサーション回路を介して外部の装置により所望の形態の信号に加工、処理される。これらの回路により調整された信号は、通常は図示しないグループ処理部、あるいはマスターフェーダ部に送られるが、必要に応じてＡＵＸ操作手段１ａにより切り換えられ、適切なレベルに調整された後、ＡＵＸバス２へ送出される。
【００１４】
また、各チャンネルＣＨ１〜ＣＨｎの調整用回路のパラメータあるいは信号経路の切り換え、スイッチ類の機能切り換え等のためのスイッチ、ツマミが設けられているが、これらのスイッチ類の操作に必要な表示、例えば機能名、切り換え先、ボリュームの回転量等や、各回路の動作状態等の、ミキシングに必要な情報を与えるための表示手段１ｂが設けられている。この表示手段１ｂはスイッチのインジケータ、ボリューム等としてのエンコーダの回転位置表示等を行うＬＥＤや、入出力番号、ユニット番号等の表示を行うＬＥＤセグメント、バーグラフタイプのレベルメータあるいは多種類の情報表示が可能なＬＥＤ，ＬＣＤ表示器等が用いられている。
【００１５】
ＡＵＸバス２は、各チャンネルＣＨ１〜ＣＨｎからＡＵＸ・ＳＥＮＤ先に対して送出される信号（ＡＵＸ・ＳＥＮＤ信号）を統括する信号経路である。なお、他の内部バスについては省略している。
【００１６】
ＡＵＸ信号処理部３は、ＡＵＸ・ＳＥＮＤの最終的な調整を行うもので、ＡＵＸバス２からのＡＵＸ・ＳＥＮＤ信号、あるいは図示しない外部ＡＵＸ入力からの信号を所望のＡＵＸ出力に切り換え、ミキシングし、レベル調整等を行うマスター操作手段３ａを有する。また、前記入力信号処理部１同様にスイッチ類の操作に必要な表示、ボリュームの回転量等や各回路の動作状態等のミキシングに必要な情報を与えるための表示手段３ｂを有している。
【００１７】
前記各表示手段１ｂ，３ｂ、ＡＵＸ操作手段１ａ、マスター操作手段３ａは制御部４と接続されている。この制御部４は、ミキシング装置のミキシング動作に必要な操作を行うもので、単一あるいは複数のプロセッサとその周辺部品、制御プログラム等から構成されている。
【００１８】
制御部４は入力信号処理部１やＡＵＸ信号処理部３等の各スイッチ類を監視し、その動作を確認するとスイッチの機能に応じて回路の切り換え、パラメータの設定、変更、レベル調整等を行う。また、スイッチ類の状態やミキシング装置の動作に必要な情報を各表示手段１ｂ，３ｂに表示させる。
【００１９】
ＳＥＮＤ先記憶部５は各ＡＵＸ出力ＡＵＸ１〜ＡＵＸｍに接続されるＡＵＸ・ＳＥＮＤ先の名称を記憶するもので、例えば、ＡＵＸ１−外部モニタースピーカ３、ＡＵＸ２−副調整室モニタースピーカ、ＡＵＸ３−未接続・・・ＡＵＸｍ−スタジオＸ、等のように、各ＡＵＸ出力ＡＵＸ１〜ＡＵＸｍに対応して具体的なＳＥＮＤ先名称が記憶されている。
【００２０】
このＳＥＮＤ先記憶部５はＲＡＭ等の半導体記憶素子、あるいは磁気ディスク、磁気光ディスク等の記憶媒体により構成されている。また、記憶させるＳＥＮＤ先名称は１対１に対応したものだけではなく、各作業あるいは条件等により複数の設定を行い、これを切り換えるようにすれば一々入力する手間が省け便利である。また、記憶されているデータの形式は、例えばテキストファイルのように文書ファイルとすれば、エディタ等で扱え変更等が容易になる。
【００２１】
次に、このような構成のＡＵＸ・ＳＥＮＤ名称表示システムの動作について説明する。制御部４は入力信号処理部１あるいはＡＵＸ信号処理部３のＡＵＸ操作手段１ａ、マスター操作手段３ａにおいてＡＵＸへの操作がなされたことを検出すると、ＳＥＮＤ先記憶部５を検索して、現在接続されているＡＵＸ出力のＳＥＮＤ先名称を読み出す。
【００２２】
読み出されたＳＥＮＤ先名称は、その操作がなされたチャンネルの表示手段１ｂあるいはＡＵＸ信号処理部３の表示手段３ｂに対し、表示データとして送付される。表示手段１ｂ，３ｂであるＬＥＤ、ＬＣＤ表示器は送付された表示データを受け取り、ＳＥＮＤ先名称として表示する。
【００２３】
このように、ＡＵＸに対する操作がなされたチャンネル等のモジュールやユニットの表示手段１ｂ，３ｂに、現在接続されている具体的なＳＥＮＤ先の名称が表示される。従って、ミクサーは必要な時（ＡＵＸへの操作時）に容易かつ確実にＳＥＮＤ先を確認することができる。また、表示手段１ｂ，３ｂは既存のＬＥＤ，ＬＣＤ表示器を用いることができ、経済的であると共にメモ書きのように見難いという不都合もない。
【００２４】
【実施例】
次に、本発明のより具体的な実施例について説明する。図２は入力信号処理部１の実施例を示す操作パネルの外観図で（ａ）はチャンネルフェーダパネル、（ｂ）はダイナミクス・ＡＵＸ・イコライザパネル、（ｃ）はマイク入力パネルである。また、図３はＡＵＸ信号処理部３の実施例を示す操作パネルの外観図である。以下に図２と図３のパネルの場合に分けて説明する。
【００２５】
図２の場合において、（ａ）中１１はチャンネルフェーダパネル、１１ａはＬＥＤ，ＬＣＤ複合のドットマトリクスタイプの表示器、１１ｂはフェーダスイッチ、（ｂ）中１２はダイナミクス・ＡＵＸ・イコライザパネル、１２ａはＬＥＤドットマトリクスタイプの表示器、１２ｂはバランス等の調整用ツマミ、１２ｃはＡＵＸ機能への切り換えスイッチ、１２ｄ−１〜８はツマミの機能切り換えスイッチ、１２ｅ−１〜８は前記スイッチ１２ｄ−１〜８によりＡＵＸ用のボリュームとして動作するツマミ（エンコーダ）である。
【００２６】
また、（ｃ）中１３はマイク入力パネル、１３ａはＬＥＤドットマトリクスタイプのパネル、１３ｂはマイク入力レベル調整用のツマミ、１３ｃは入力（ＭＩＣ，ＲＥＴ，ＳＥＮＤ）切り換え用のスイッチ、１３ｄは入力（ローパス／ハイパス）フィルタの周波数調整用ツマミである。
【００２７】
しかして、前記マイク・ＡＵＸ・イコライザパネル１２は、切り換えスイッチ１２ｃにより、ダイナミクス調整用パネル、イコライザ調整用パネル、ＡＵＸ調整用パネルと、各々異なった機能のパネルに切り換えられ、動作する。そして、切り換えスイッチ１２ｃによりＡＵＸ用に切り換えられると、ＡＵＸ出力の１〜８に対応してブロック化されている箇所の、切り換えスイッチ１２ｄ−１〜８を動作させることにより、ツマミ１２ｅ−１〜８はＡＵＸ・ＳＥＮＤの調整用ボリュームとして動作する。
【００２８】
そして、ＡＵＸ調整用の機能に切り換え、あるいはその機能に切り換えられた状態でツマミ１２ｅ−１〜８が操作されたことを制御部４が検出すると、その操作がされたパネル１２の表示器１２ａにＡＵＸ・ＳＥＮＤ先の名称を表示させる。このように、ＡＵＸに対する操作がなされたパネル１２上の表示器１２ａに、ＳＥＮＤ先が具体的な名称で表示されることになる。
【００２９】
次に図３において、１４はモニターパネル、１５はマスターパネル、１６はＡＵＸ等のレベルメータ、１７はＡＵＸマスターパネル、１７ａはＡＵＸマスター操作部、１８はＡＵＸ出力レベル調整用のツマミ、１９はＬＥＤドットマトリクス表示器である。
【００３０】
モニタパネル１４は、モニタースピーカへの出力の調整等を行うもので、マスターパネル１５は放送用等のマスター出力を切り換え、調整を行う。また、ＡＵＸマスターパネル１７はグループ調整や圧縮調整、トークバックに関する切り替えを行うと共に、ＡＵＸの出力調整を行うＡＵＸマスター操作部１７ａを有する。
【００３１】
この、ＡＵＸマスター操作部１７ａのツマミ１８が操作されたことを制御部４が検出すると、その操作がされたＡＵＸマスターパネル１７の表示器１９に接続されているＡＵＸ・ＳＥＮＤ先の名称を表示させる。このように、ＡＵＸマスターパネルにおいても、ＡＵＸに対する操作がなされたパネル１７上の表示器１９に、そのＳＥＮＤ先が具体的な名称で表示されることになる。
【００３２】
【発明の効果】
以上のように本発明によれば、ＡＵＸに対する操作がなされた場合に、入力信号処理部の表示手段にＡＵＸ・ＳＥＮＤ先を表示するので、
一々メモ書き等を作成しなくとも、ＡＵＸ・ＳＥＮＤ先の確認を入力信号処理部側で容易かつ確実に行うことが可能で、しかもミキシングコンソールの美感を損なうこともない。
また、従来よりある表示手段を用いているので、ハードウエアを大幅に変更する必要もなく経済的である。
【図面の簡単な説明】
【図１】本発明にかかるＡＵＸ・ＳＥＮＤ名称表示システムの、基本構成を示したブロック図である。
【図２】入力信号処理部の一実施例を示す操作パネルの外観図で（ａ）はチャンネルフェーダパネル、（ｂ）はダイナミクス・ＡＵＸ・イコライザパネル、（ｃ）はマイク入力パネルである。
【図３】ＡＵＸ信号処理部の実施例を示す操作パネルの外観図である。
【図４】従来のミキシング装置の、各入力からＡＵＸ（補助）出力に至る経路の構成を示したブロック図である。
【符号の説明】
１    入力信号処理部
１ａ  ＡＵＸ操作手段
１ｂ  表示手段
２    ＡＵＸバス
３    ＡＵＸ信号処理部
３ａ  マスター操作手段
３ｂ  表示手段
４    制御部
５    ＳＥＮＤ先記憶部
１１    チャンネルフェーダパネル
１２    ダイナミクス・ＡＵＸ・イコライザパネル
１３    マイク入力パネル
１４    モニターパネル
１５    マスターパネル
１６    ＡＵＸ等のレベルメータ
１７    ＡＵＸマスターパネル
１７ａ  ＡＵＸマスター操作部
１８    ＡＵＸ出力レベル調整用のツマミ
１９    表示器
【図１】
0004413283.tif 000002
【図２】
0004413283.tif 000003
【図３】
0004413283.tif 000004
【図４】
0004413283.tif 000005